(57)【要約】【課題】入力されるオーディオ信号の種類に応じて、表示部の明るさを調整することができる増幅装置を提供する。【解決手段】入力手段から入力されるオーディオ信号の入力ソースを選択する操作を受け付ける操作手段と、増幅装置の動作状態を表示する表示手段と、入力手段からり入力されるオーディオ信号の種類を判別する判別手段と、操作手段により選択された入力ソースおよび判別手段により判別されるオーディオ信号の種類に応じて表示手段の明るさを調整する調整手段とを備える。【選択図】  図１
2007250107.tif 000002
【特許請求の範囲】
【請求項１】
オーディオ信号を増幅する増幅装置において、
オーディオ信号を入力する入力手段と、
前記入力手段から入力されるオーディオ信号の入力ソースを選択する操作を受け付ける操作手段と、
増幅装置の動作状態を表示する表示手段と、
前記入力手段から入力されるオーディオ信号の種類を判別する判別手段と、
前記操作手段により選択された入力ソースおよび前記判別手段により判別されたオーディオ信号の種類に応じて前記表示手段の明るさを調整する調整手段と、
前記入力手段から入力されたオーディオ信号を増幅する増幅手段と、
前記増幅手段により増幅されたオーディオ信号を出力する出力手段と
を備えることを特徴とする増幅装置。
【発明の詳細な説明】
【技術分野】
【０００１】
本発明は、オーディオ信号を増幅する増幅装置に関する。
【背景技術】
【０００２】
ＤＶＤ（Digital Versatile Disc）プレーヤ等の再生装置は、再生しているトラックナンバーや再生時間等の再生装置の動作状態を表示する表示部を備えている。このような表示部には、発光素子やバックライトの明るさを調整することができるものがある。
【０００３】
従来、再生装置において、ＤＶＤ等の記録媒体の再生動作に連動して、再生開始から再生終了までの間、表示部の明るさを通常より暗くすることができる技術がある（例えば、特許文献１参照）。このため、映画が記録されたＤＶＤを再生する場合、視聴者は、再生装置の近くにディスプレイが設置されていても、再生装置の表示部の明かりを気にしないで、当該ディスプレイから出力される再生装置により再生されたビデオ信号を鑑賞することができる。
【０００４】
【特許文献１】特開２０００−２８５５７８号公報
【発明の開示】
【発明が解決しようとする課題】
【０００５】
再生装置により再生されたオーディオ信号は、ＡＶ（Audio Visual）アンプへ入力される。ＡＶアンプは、再生装置から入力されたオーディオ信号にサラウンド処理等の信号処理を施し、接続されたスピーカへ信号処理を施したオーディオ信号を出力する。通常、ＡＶアンプは、再生装置の近くに設置される。また、ＡＶアンプは、再生装置と同様に、動作状態を表示する表示部を備えている。
【０００６】
特許文献１に開示された技術により、再生装置が再生動作をしている間、再生装置の表示部の明るさを暗くすることができるが、この再生装置に接続され、かつ、近くに設置されたＡＶアンプの表示部の明るさは、通常の明るさである。このため、視聴者は、ディスプレイから出力される再生装置により再生されたビデオ信号を鑑賞するとき、ＡＶアンプの表示部の明かりが目障りになる。
【０００７】
本発明は、上記の課題を解決するためになされたものであり、入力されるオーディオ信号の種類に応じて表示部の明るさを調整することができる増幅装置を提供することを特徴とする。
【課題を解決するための手段】
【０００８】
上記の課題を解決するために、本願の請求項１に記載の発明は、オーディオ信号を増幅する増幅装置において、オーディオ信号を入力する入力手段と、前記入力手段から入力されるオーディオ信号の入力ソースを選択する操作を受け付ける操作手段と、増幅装置の動作状態を表示する表示手段と、前記入力手段から入力されるオーディオ信号の種類を判別する判別手段と、前記操作手段により選択された入力ソースおよび前記判別手段により判別されたオーディオ信号の種類に応じて前記表示手段の明るさを調整する調整手段と、前記入力手段から入力されたオーディオ信号を増幅する増幅手段と、前記増幅手段により増幅されたオーディオ信号を出力する出力手段とを備えることを特徴とする。
【発明の効果】
【０００９】
本発明によれば、入力されるオーディオ信号の種類に応じて、表示部の明るさを調整することができる増幅装置を提供することができる。
【発明を実施するための最良の形態】
【００１０】
以下、本発明の実施の形態を図面を参照して説明する。
図１は、本発明の一実施例である増幅装置の構成を示すブロック図である。
図１において、１は入力部、２はデジタル入力部、３はアナログ入力部、４はＤＩＲ（Digital Interface Receiver）、５はＡＤＣ（Analog to Digital Converter）、６はＤＳＰ（Digital Signal Processor）、７はＤＡＣ（Digital to Analog Converter）、８は増幅部、９は出力部、１０は操作部、１１は表示部、１２は制御部、１３は判定部、１４は調整部、１５は記憶部を示す。本実施例のデータ受信装置は、ＡＶアンプ等の増幅装置である。
【００１１】
図１に示す入力部１は、デジタル入力部２およびアナログ入力部３を備える。デジタル入力部２は、ＤＶＤプレーヤ等の再生装置から出力されるデジタルオーディオ信号を入力する。アナログ入力部３は、再生装置から出力されるアナログオーディオ信号を入力する。
【００１２】
ＤＩＲ４は、デジタル入力部２により入力されたデジタルオーディオ信号を復調し、復調したデジタルオーディオ信号をＤＳＰ１０へ入力する。ＡＤＣ５は、アナログ入力部３により入力されたアナログオーディオ信号をデジタルオーディオ信号に変換する。変換されたデジタルオーディオ信号は、ＤＳＰ６へ入力される。
【００１３】
ＤＳＰ６は、ＤＩＲ４またはＡＤＣ５から入力されたデジタルオーディオ信号に各種のサラウンドフォーマットのデジタルオーディオ信号に変換する信号処理等を施す。ＤＡＣ７は、ＤＳＰ６により信号処理が施されたデジタルオーディオ信号をアナログオーディオ信号に変換する。増幅部８は、ＤＡＣ７から入力されるアナログオーディオ信号を増幅する。増幅されたアナログオーディオ信号は、出力部９に接続された図示しないスピーカから出力される。
【００１４】
操作部１０は、入力部１から入力するオーディオ信号の入力ソースを選択するロータリーエンコーダ、音量を調節するロータリーエンコーダ、ＤＳＰ６によりサラウンド信号処理をするサラウンドモードを選択するボタン、電源ボタン等の本実施例の増幅装置の動作を操作する操作ボタン等を備える。表示部１１は、本実施例の増幅装置の設定や動作等の状態を表示する。表示部１１には、蛍光表示管やバックライト方式の液晶ディスクプレイなどが用いられ、電圧制御または電流制御により明るさを調整することができる。
【００１５】
制御部１２は、本実施例のデータ受信装置を統括的に制御する。また、制御部１２は、判定部１３および調整部１４を備える。判定部１３は、デジタル入力部２から入力されるデジタルオーディオ信号の種類を判別する。本実施例の増幅装置に入力されるデジタルオーディオ信号には、ＰＣＭ（Pulse Code Modulation）信号と非ＰＣＭ信号のビットストリームがある。この非ＰＣＭ信号には、ドルビーデジタル（登録商標）、ＤＴＳ（登録商標）等の種類がある。
【００１６】
判別部１３は、ＤＳＰ６に入力されるデジタルオーディオ信号のビットストリームのデータバースト中に、プリアンブル（Ｐａ，Ｐｂ，Ｐｃ，Ｐｄ）が存在している場合、非ＰＣＭ信号のビットストリームであると判別し、プリアンブルが存在していない場合、ＰＣＭ信号のビットストリームであると判別する。ここで、プリアンブルのＰａおよびＰｂは同期コードに関する情報であり、Ｐｃはデータバーストに関する情報、Ｐｄはデータバーストの長さを表している。
【００１７】
また、判別部１３は、非ＰＣＭ信号のビットストリームであると判別すると、さらに、プリアンブルのＰｃに記録されているｄａｔａ＿ｔｙｐｅを調べることにより、非ＰＣＭ信号のビットストリームの種類を判別することができる。すなわち、判別部１３は、プリアンブルのＰｃのｄａｔａ＿ｔｙｐｅを調べることにより、デジタルオーディオ信号のビットストリームの種類を判別することができる。
【００１８】
制御部１２に備えられた調整部１４は、操作部１０により選択された入力ソースおよび判別部１３により判別されるデジタルオーディオ信号の種類に応じて表示部１１の明るさを調整する。例えば、調整部１４は、表示部１１を３段階の明るさで調整し、表示部１１のレベル１の明るさとして、表示部１１で設定可能な最も暗い明るさに調整する。
【００１９】
調整部１４は、表示部１１のレベル２の明るさとして、レベル１の明るさと後述するレベル３の明るさの中間の明るさであり、映画鑑賞をするために部屋を暗くしたとき、ユーザにとって表示部１１の明るさが眩しいと感じずに、表示された文字等を視認することができる明るさに調整する。そして、表示部１１のレベル３の明るさとして、日中の自然光の明るさでも、表示部１１に表示された文字等をユーザが視認できる明るさに調整する。
【００２０】
記憶部１５は、図２に示すように、操作部１０により選択された入力ソースおよび入力部１から入力される入力信号の種類に応じた表示部１１の明るさのレベルが予め記憶されている。図２は、記憶部１５に記憶された入力ソースおよび入力信号の種類に応じた表示部１１の明るさのレベルを示した記憶テーブルである。図２に示す記憶テーブルでは、入力信号の種類としてアナログ信号、ＰＣＭ信号、ドルビーデジタル（登録商標）、ＤＴＳ（登録商標）があり、入力ソースの種類としてＤＶＤ、ＣＤ、ＶＣＲ、ＰＨＯＮがある。
【００２１】
入力ソースとしてＤＶＤを選択する場合、本実施例の増幅装置には、ＤＶＤプレーヤから出力されるアナログまたはデジタルのオーディオ信号が入力される。入力ソースとしてＣＤを選択する場合、本実施例の増幅装置には、ＣＤプレーヤから出力されるアナログまたはデジタルのオーディオ信号が入力される。入力ソースとしてＶＣＲを選択する場合、本実施例の増幅装置には、ビデオデッキ（ＶＣＲ）から出力されるアナログオーディオ信号が入力される。また、入力ソースとしてＰＨＯＮを選択する場合、本実施例の増幅装置には、レコードプレーヤから出力されるアナログオーディオ信号が入力される。図２において、入力信号がＰＣＭ信号、入力ソースがＣＤである場合、表示部１１の明るさのレベルはレベル３（図中では「３」と示す）となる。
【００２２】
次に、本実施例の増幅装置における表示部１１の明るさを調整する制御について説明する。図３は、表示部１１の明るさを調整する制御を説明するフローチャートである。
【００２３】
ユーザは、オーディオ信号の再生を開始する前に、操作部１０により入力部１に入力するオーディオ信号の入力ソースを選択する（ステップＳ１）。入力部１から入力されたオーディオ信号がデジタルオーディオ信号である場合（ステップＳ２でＹｅｓ）、判定部１３は、デジタル入力部２からＤＩＲ４を介してＤＳＰ６に入力されるデジタルオーディオ信号の種類を判別する（ステップＳ３）。
【００２４】
調整部１４は、入力部１から入力されたオーディオ信号がデジタルオーディオ信号である場合（ステップＳ２でＹｅｓ）、ステップＳ１において選択された入力ソースおよびステップＳ３において判別されたデジタルオーディオ信号の種類に応じた表示部１１の明るさのレベルを記憶部１５に記憶された記憶テーブルから参照する（ステップＳ４）。一方、調整部１４は、入力部１から入力されたオーディオ信号がアナログオーディオ信号である場合（ステップＳ２でＮｏ）、アナログ信号およびステップＳ１において選択された入力ソースに応じた表示部１１の明るさのレベルを記憶部１５に記憶された記憶テーブルから参照する（ステップＳ４）。
【００２５】
そして、調整部１４は、ステップＳ４において記憶部１５の記憶テーブルから参照した表示部１１の明るさのレベルにしたがって、電圧制御または電流制御により表示部１５の明るさを調整する（ステップＳ５）。ユーザにより入力ソースが切替えられると、図３に示すステップＳ２の処理が行われる。
【００２６】
例えば、ステップＳ１において選択された入力ソースがＤＶＤであり、ステップＳ３において判別したデジタルオーディオ信号の種類がＤＴＳ（登録商標）である場合は、図２に示す記憶テーブルより表示部１１の明るさのレベルはレベル１となる。この場合は、ＤＶＤプレーヤによりＤＶＤ−ＶＩＤＥＯデータを再生する場合である（デジタルオーディオ信号の種類がドルビーデジタルでも同様）。この場合、本実施例の増幅装置の表示部１１の明るさは、表示部１１で設定可能な最も暗い明るさに調整されるため、ユーザは、表示部１１の明かりを気にせずに、ディスプレイから出力されるＤＶＤプレーヤにより再生されたビデオ信号を鑑賞することができる。
【００２７】
一方、ステップＳ１において選択された入力ソースがＤＶＤであり、ステップＳ３において判別したデジタルオーディオ信号の種類がＰＣＭ信号である場合は、図２に示す記憶テーブルより表示部１１の明るさのレベルはレベル３となる。この場合は、ＤＶＤプレーヤによりＤＶＤ−ＡＵＤＩＯデータを再生する場合である。ＤＶＤ−ＡＵＤＩＯには、ビデオ信号が記録されてないため、部屋を暗くする必要がない。したがって、本実施例の増幅装置の表示部１１の明るさは、日中の自然光の明るさでも表示部１１に表示された文字等をユーザが視認できる明るさに調整される。
【００２８】
ステップＳ１において選択された入力ソースがＤＶＤであり、入力部１から入力されたオーディオ信号がアナログオーディオ信号である場合、図２に示す記憶テーブルより表示部１１の明るさのレベルはレベル２となる。この場合は、ＤＶＤプレーヤにより再生されるデータがＤＶＤ−ＶＩＤＥＯデータであるか、ＤＶＤ−ＡＵＤＩＯデータであるかを判別することができない。このため、本実施例の増幅装置の表示部１１の明るさは、映画鑑賞をするために部屋を暗くしたとき、ユーザにとって表示部１１の明るさが眩しいと感じずに、表示された文字等を視認することができる明るさに調整される。
【００２９】
上述したように、本実施例の増幅装置は、選択された入力ソースおよび入力されるオーディオ信号の種類に応じて、表示部の明るさを複数のレベルで調整をすることができる。
【図面の簡単な説明】
【００３０】
【図１】本発明の実施例であるデータ受信装置の構成を示すブロック図。
【図２】記憶部１５に記憶された記憶テーブルを示す図。
【図３】表示部の明るさを調整する制御を説明するフローチャート。
【符号の説明】
【００３１】
１…入力部、２…デジタル入力部、３…アナログ入力部、４…ＤＩＲ、５…ＡＤＣ、６…ＤＳＰ、７…ＤＡＣ、８…増幅部、９…出力部、１０…操作部、１１…表示部、１２…制御部、１３…判定部、１４…調整部、１５…記憶部
【図１】
2007250107.tif 000003
【図２】
2007250107.tif 000004
【図３】
2007250107.tif 000005